(57)【特許請求の範囲】
【請求項１】
胴部２上端から肩部３を介して口頸部４を起立し、かつ該口頸部の下端内面から逆円錐形状の天板５を垂下して、該天板一部に穿設した開口６周縁からノズル基筒７を起立するチューブ本体１と、
上記口頸部４の上端開口面を閉塞する頂板11の外周から、口頸部外面へ嵌合させた第１周壁12を垂下すると共に、上記ノズル基筒７の筒孔上方頂板部分を開口13して、該開口周縁からノズル14を起立し、又該ノズル下方の頂板部分から垂下させた嵌合筒15を上記ノズル基筒７外面へ水密に嵌合させて、ノズル14とノズル基筒７とを連通させたキャップ本体10と、
上記ノズル孔14ａ上面を閉塞する頂壁21の外周から第２周壁22を垂下して、該第２周壁と頂壁21とでキャップ本体10上面を閉塞すると共に、第２周壁22後部とキャップ本体10後部とをヒンジ23を介して連結させてキャップ本体10と一体成形した補助蓋20と
からなり、
上記チューブ本体１と補助蓋付きのキャップ本体10とをそれぞれ合成樹脂材で成形した
ことを特徴とする合成樹脂製チューブ容器。
【請求項２】
チューブ本体１の肩部３を弾性変形可能に形成した
ことを特徴とする請求項１記載の合成樹脂製チューブ容器。
【請求項３】
ノズル基筒７の上端面を、口頸部４の上端面と同一水平面上に位置させて設けると共に、ノズル基筒７の上端面を開口13の下面周辺の頂板部分下面へ当接させて、ノズル基筒部７の上部外面を嵌合筒15へ嵌合させ、又ノズル孔14ａの上端開口面を頂壁21下面で閉塞して、頂壁21下面から垂下する閉塞筒24をノズル14外面へ着脱自在に嵌合させた
ことを特徴とする請求項１又は請求項２記載の合成樹脂製チューブ容器。
【請求項４】
補助蓋の第２周壁22下面をキャップ本体頂板11の外周部上面へ載置させると共に、補助蓋第２周壁22の前面下端部からキャップ本体第１周壁12の前面よりも前方まで開蓋用指掛け25を突設した
ことを特徴とする請求項１、請求項２又は請求項３記載の合成樹脂製チューブ容器。
【発明の詳細な説明】
【０００１】
【発明の属する技術分野】
本発明は、化粧品等のクリーム状物を収納させた合成樹脂製チューブ容器に関する。
【０００２】
【従来の技術】
【０００３】
【発明が解決しようとする課題】
広く知られているように、従来のチューブ容器は、胴部上端から肩部を介して起立した口頸部にキャップを着脱自在に嵌合させ、胴部の圧搾によって収納物を押し出して使用するものであるが、肩部は剛性が高くて圧搾が困難であるため、肩部内にかなりの収納物を残したまま廃棄されていた。
【０００４】
このような不都合を解消するため、本出願人は、チューブ容器の肩部を斜め下内方へのテ−パ状壁で形成し、チューブ容器の胴部上部を上内方へ押圧して、該胴部の上部内面をテ−パ状の肩部内面へ押し付けることで、肩部内から収納物を押し出すことができるよう設けた考案を提案した（実公昭57-15154号公報）。
【０００５】
上記考案によれば、肩部内収納物を簡単に押し出すことができるが、チューブ容器肩部を下内方へのテ−パ状壁で形成したので、例えば、上記考案の容器を浴場或いは洗面場で使用すると、肩部上方に湯水が溜まり、キャップを外す際等に、その溜まった湯水が零れ出して使用者に不快感を与えたり、衣服を濡らすことがあった。
【０００６】
又上記考案の容器では、キャップを大径にすれば、キャップが着脱し易くなって使い勝手が一層向上することとなるが、チューブ本体口頸部が大径となり、かつ該口頸部は剛性が高く圧搾が困難であるため、チューブ本体口頸部内にかなりの収納物が注出不能となって残ることとなる。
【０００７】
本発明は、チューブ容器口頸部の下端内面から逆円錐形状の天板を垂下し、かつ該天板一部に穿設した開口周縁から起立する流出筒と、チューブ容器口頸部の上面を閉塞する蓋体に設けたノズルとを連通させるよう形成することで、容器の一部に湯水が溜まる不都合を解消すると共に、注出されずに廃棄される収納物を最小限に抑えることができるよう設けた。
【０００８】
【課題を解決するための手段】
第１の手段として、胴部２上端から肩部３を介して口頸部４を起立し、かつ該口頸部の下端内面から逆円錐形状の天板５を垂下して、該天板一部に穿設した開口６周縁からノズル基筒７を起立するチューブ本体１と、
上記口頸部４の上端開口面を閉塞する頂板11の外周から、口頸部外面へ嵌合させた第１周壁12を垂下すると共に、上記ノズル基筒７の筒孔上方頂板部分を開口13して、該開口周縁からノズル14を起立し、又該ノズル下方の頂板部分から垂下させた嵌合筒15を上記ノズル基筒７外面へ水密に嵌合させて、ノズル14とノズル基筒７とを連通させたキャップ本体10と、
上記ノズル孔14ａ上面を閉塞する頂壁21の外周から第２周壁22を垂下して、該第２周壁と頂壁21とでキャップ本体10上面を閉塞すると共に、第２周壁22後部とキャップ本体10後部とをヒンジ23を介して連結させてキャップ本体10と一体成形した補助蓋20と
からなり、
上記チューブ本体１と補助蓋付きのキャップ本体10とをそれぞれ合成樹脂材で成形した。
【０００９】
第２の手段として、第１の手段を有すると共に、チューブ本体１の肩部３を弾性変形可能に形成した。
【００１０】
第３の手段として、第１の手段又は第２の手段を有すると共に、ノズル基筒７の上端面を、口頸部４の上端面と同一水平面上に位置させて設けると共に、ノズル基筒７の上端面を開口13の下面周辺の頂板部分下面へ当接させて、ノズル基筒７の上部外面を嵌合筒15へ嵌合させ、又ノズル孔14ａの上端開口面を頂壁21下面で閉塞して、頂壁21下面から垂下する閉塞筒24をノズル14外面へ着脱自在に嵌合させた。
【００１１】
第４の手段として、第１の手段、第２の手段又は第３の手段を有すると共に、補助蓋の第２周壁22下面をキャップ本体頂板11の外周部上面へ載置させると共に、補助蓋第２周壁22の前面下端部からキャップ本体第１周壁12の前面よりも前方まで開蓋用指掛け25を突設した。
【００１２】
【発明の実施の形態】
本発明容器は、チューブ本体１, キャップ本体10および補助蓋20からなり、チューブ本体１は、下端を板状に押し潰して熱溶着した弾性圧搾可能な胴部２上端から肩部３を介して口頸部４を起立し、該口頸部の下端内面から逆円錐形状の天板５を垂下すると共に、該天板の前部に開口６を穿設し、かつ該開口周縁から起立したノズル基筒７の上端面を口頸部３の上端面と同一水平面上に位置させている。又肩部３は、胴部２と略同一の肉厚として弾性変形可能に形成するとよい。
【００１３】
キャップ本体10は、上記口頸部４の上端開口面を閉塞する頂板11の外周から第１周壁12を垂下すると共に、該第１周壁を口頸部４外面へ凹凸の係止手段で回動および抜出し不能に嵌合固着させ、又上記ノズル基筒７の筒孔上方の頂板部分を開口13して、該開口の周縁からノズル14を起立し、かつ該ノズル下方の頂板部分から垂下した嵌合筒15を上記ノズル基筒７外面に水密に嵌合させて、ノズル14とノズル基筒７とを連通させ、又上記開口13周縁と嵌合筒15上端内面との間の頂板部分下面へ上記ノズル基筒７の上端面を当接させている。
【００１４】
補助蓋20は、ノズル孔14ａ上面を閉塞する頂壁21の外周から第２周壁22を垂下して、該第２周壁の下面をキャップ本体頂板11の外周上面へ載置させると共に、第２周壁22の後方下端をキャップ本体第１周壁12の後方上端にヒンジ23を介して連結し、又頂壁21の前部から垂下した閉塞筒24を上記ノズル14の外面に着脱自在に嵌合させ、更に、第２周壁22の前面下端から、キャップ本体第１周壁12の前面よりも前方へ開蓋用指掛け25を突設している。
【００１５】
本発明容器は、補助蓋20を開蓋させ、かつチューブ本体の胴部２を弾性圧搾することで、収納クリーム状物をノズル14から押し出して使用する。又収納クリーム状物が残り僅かとなって肩部３内からクリーム状物を注出する場合は、図１が想像線で示すように、チューブ本体胴部２上方を弾性圧搾して、胴部上方部分の内面を肩部３下面および天板５下面へ近接ないし当接させて、肩部内のクリーム状物をノズル基筒７を介してノズル14から押し出す。
【００１６】
尚チューブ本体１、キャップ本体10および補助蓋20は、合成樹脂材で形成し、キャップ本体10と補助蓋20は、ヒンジ23を介して一体成形する。
【００１７】
【発明の効果】
本発明は、上記構成とするものであり、請求項１の発明の場合は、チューブ本体口頸部４の下端内面から逆円錐形状の天板５を垂下すると共に、該天板一部に穿設した開口６周縁からノズル基筒７を起立し、該ノズル基筒とキャップ本体のノズル14とを連通させたから、図１が想像線で示すように、チューブ本体胴部２上方を弾性圧搾させて、胴部上方部分の内面を肩部３下面および天板５下面へ近接ないし当接させることで、肩部３内のクリーム状物を簡単に押し出すことができ、又天板５の開口６周縁からノズル基筒７を起立し、かつ該ノズル基筒を介してキャップ本体10のノズル14から収納物を注出させるよう形成したから、最終的に注出不能となってノズル基筒７内に収納物が残ることとなるが、注出できずに廃棄される収納物の量は、極く少量かつ一定量であり、従来例のように、チューブ本体口頸部の径の大きさに全く左右されないことから、チューブ本体口頸部を大径とし、かつ補助蓋付きキャップ本体10を必要に応じて大形化して、補助蓋20を開閉し易くなるよう何ら支障なく形成できる。又従来容器のように、容器の一部に湯水が溜まることがない。
【００１８】
請求項２記載の発明の場合は、チューブ本体１の肩部３を弾性変形可能に形成したから、肩部３を弾性変形させて、胴部２の上部内面と共に肩部の一部下面を天板５下面へ当接させることによって、肩部内の収納物を殆ど残さず注出できる。
【００１９】
請求項３記載の発明の場合は、ノズル基筒７の上端面を、口頸部４の上端面と同一水平面上に位置させて設けると共に、ノズル基筒７の上端面を開口13の下面周辺の頂板部分下面へ当接させ、かつノズル基筒７の上部外面へ嵌合筒15を嵌合させたから、ノズル基筒７と嵌合筒15を確実に連結させることができ、収納物が漏出することがない。又ノズル孔14ａの上端開口面を補助蓋頂壁21の下面で閉塞し、かつ該頂壁下面から垂下した閉塞筒24をノズル14外面へ着脱自在に嵌合させたから、ノズル孔14ａの上面を確実に閉塞できる。
【００２０】
請求項４記載の発明の場合は、補助蓋の第２周壁22前面下端部からキャップ本体第１周壁12の前面よりも前方まで開蓋用指掛け25を突設したから、該開蓋用指掛けに指先を掛けて補助蓋20を容易に開蓋できる。
【図面の簡単な説明】
【図１】本発明容器の一実施形態を示す要部の縦断面図である。
【図２】同実施形態を補助蓋を開蓋した状態で示す斜視図である。
【図３】同実施形態の分解斜視図である。
【符号の説明】
１…チューブ本体  ５…天  板  ７…ノズル基筒
10 …キャップ本体  20…補助蓋
【図１】
0003824830.tif 000002
【図２】
0003824830.tif 000003
【図３】
0003824830.tif 000004